(57)【要約】【課題】マルチメディア放送／マルチキャスト放送（ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ）を送受信する方法および装置を提供すること。【解決手段】本発明は、ＭＢＭＳ転送に自動再送要請（ＡＲＱ：Ａｕｔｏｍａｔｉｃ  Ｒｅｐｅａｔ  Ｒｅｑｕｅｓｔ）とハイブリッド自動再送要請（ＨＡＲＱ：Ｈｙｂｒｉｄ  Ａｕｔｏｍａｔｉｃ  Ｒｅｐｅａｔ  Ｒｅｑｕｅｓｔ）を適用可能にし、より効率的なデータ転送を可能にする。【選択図】図１５
2008530896.tif 000002
【特許請求の範囲】
【請求項１】
無線通信システムで一つ以上の移動通信端末（ｔｅｒｍｉｎａｌ）に１対多サービスを提供する方法において、
端末識別子及び前記端末が受信しようとするサービスと関連した一つ以上の１対多サービス識別子を保存する前記一つ以上の移動通信端末と、
下り回線共有制御チャネルを通して前記一つ以上の移動通信端末に制御情報のフレームを転送するネットワークであって、前記制御情報は一つ以上の移動端末識別子及び提供されるサービスと関連した１対多サービス識別子を含むネットワークと、
下り回線共有データチャネルを通して前記一つ以上の移動通信端末にデータのフレームを転送し、前記データのフレームは制御情報の前記フレームに該当することを特徴とする前記ネットワークと、
前記制御情報のフレームを受信し、前記保存された端末識別子及び前記保存された１対多サービス識別子を、前記制御情報内の前記一つ以上の移動端末識別子及び１対多サービス識別子と比較する前記移動端末と、
一つ以上の前記保存された端末識別子が前記制御情報内の前記端末識別子と一致したり、前記保存された１対多サービス識別子が前記制御情報内の前記１対多サービス識別子と一致すると、前記データのフレームを受信する前記一つ以上の移動通信端末と、を備える、１対多サービス提供方法。
【請求項２】
前記下り回線共有制御チャネルは、下り回線高速共有制御チャネル（ｈｉｇｈ  ｓｐｅｅｄ−ｓｈａｒｅｄ  ｃｏｎｔｒｏｌ  ｃｈａｎｎｅｌ；ＨＳ−ＳＣＣＨ）であることを特徴とする、請求項１に記載の１対多サービス提供方法。
【請求項３】
前記下り回線共有データチャネルは、高速物理下り回線共有チャネル（ｈｉｇｈ  ｓｐｅｅｄ  ｐｈｙｓｉｃａｌ  ｄｏｗｎｌｉｎｋ  ｓｈａｒｅｄ  ｃｈａｎｎｅｌ；ＨＳ−ＰＤＳＣＨ）であることを特徴とする、請求項１に記載の１対多サービス提供方法。
【請求項４】
前記データのフレームは、移動通信端末専用データまたはマルチキャストデータのいずれかであることを特徴とする、請求項１に記載の１対多サービス提供方法。
【請求項５】
前記１対多サービス識別子は、特定の１対多サービスに該当することを特徴とする、請求項１に記載の１対多サービス提供方法。
【請求項６】
前記１対多サービス識別子は、特定の１対多サービスの特定のセッションに該当することを特徴とする、請求項１に記載の１対多サービス提供方法。
【請求項７】
前記１対多サービス識別子は、特定の１対多サービスを受信しようとする複数の移動通信端末に該当することを特徴とする、請求項１に記載の１対多サービス提供方法。
【請求項８】
前記データのフレームをデコーディングする前記一つ以上の移動通信端末と、
前記ネットワークに受信状態情報を転送する前記一つ以上の移動通信端末とをさらに含む１対多サービス提供方法であって、前記受信状態情報は、誤りない前記データのフレームの前記受信または誤りある前記データのフレームの前記受信のいずかれを指示（ｉｎｄｉｃａｔｉｏｎ）することを特徴とする、請求項１に記載の１対多サービス提供方法。
【請求項９】
前記受信状態情報は、下り回線チャネル品質情報をさらに含むことを特徴とする、請求項８に記載の１対多サービス提供方法。
【請求項１０】
前記受信状態情報は、高速物理下り回線共有チャネル（ＨＳ−ＰＤＳＣＨ）のサブフレームにマッピングされる高速専用物理制御チャネル（ｈｉｇｈ  ｓｐｅｅｄ−ｄｅｄｉｃａｔｅｄ  ｐｈｙｓｉｃａｌ  ｃｏｎｔｒｏｌ  ｃｈａｎｎｅｌ；ＨＳ−ＤＰＣＣＨ）のサブフレームを通して転送されることを特徴とする、請求項８に記載の１対多サービス提供方法。
【請求項１１】
誤りある前記データのフレームの受信の指示を含む受信状態情報を転送する前記一つ以上の移動通信端末と、
前記下り回線共有制御チャネルを通して前記一つ以上の移動通信端末に前記制御情報のフレームを再転送し、前記制御情報は、移動端末識別子及び提供されるサービスに関連した１対多サービス識別子のうちの一つ以上を含むことを特徴とするネットワークと、
前記制御情報のフレームに該当するデータのフレームを前記下り回線共有データチャネルを通して前記一つ以上の移動通信端末に再転送する前記ネットワークと、
前記再転送された制御データのフレームを受信し、前記保存された端末識別子及び前記保存された１対多サービス識別子を前記制御情報内の前記移動端末識別子及び１対多サービス識別子のうちの一つ以上と比較する前記移動端末と、
一つ以上の前記保存された端末識別子が前記制御情報内の前記端末識別子と一致したり、前記保存された１対多サービス識別子が前記制御情報内の前記１対多サービス識別子と一致すると、前記再転送されたデータフレームを受信する前記一つ以上の移動通信端末と、をさらに含むことを特徴とする、請求項８に記載の１対多サービス提供方法。
【請求項１２】
誤りある前記データのフレームの受信指示を含む受信状態情報を転送する複数の移動通信端末が臨界値を超過すると、前記制御情報は１対多サービス識別子を含み、誤りある前記データのフレームの受信指示を含む受信状態情報を転送する前記複数の移動通信端末が前記臨界値を超過しないと、前記制御情報は誤りある前記データのフレームの受信指示を含む受信状態情報を転送した各端末の移動端末識別子を含むことを特徴とする、請求項１１に記載の１対多サービス提供方法。
【請求項１３】
連結手順中に前記ネットワークに前記下り回線共有制御チャネル及び前記下り回線共有データチャネルの受信可否を知らせる前記一つ以上の移動通信端末をさらに含むことを特徴とする、請求項１に記載の１対多サービス提供方法。
【請求項１４】
前記一つ以上の移動通信端末に前記制御情報のフレームが前記下り回線共有制御チャネルを通して転送されることと、前記データのフレームが前記下り回線共有データチャネルを通して転送されることを知らせる前記ネットワークをさらに含むことを特徴とする、請求項１に記載の１対多サービス提供方法。
【請求項１５】
前記１対多サービスは、マルチメディア放送またはマルチキャストサービス（ＭＢＭＳ）であることを特徴とする、請求項１に記載の１対多サービス提供方法。
【請求項１６】
無線通信システムで一つ以上の移動通信端末に１対多サービスを提供する方法において、
端末識別子及び受信するサービスと関連した一つ以上の１対多サービス識別子を保存する段階と、
下り回線共有制御チャネルを通して移動端末識別子及び提供されるサービスと関連した１対多サービス識別子のうちの一つ以上からなる制御情報のフレームを受信する段階と、
前記保存された端末識別子及び前記保存された１対多サービス識別子を、前記制御情報内の前記移動端末識別子及び１対多サービス識別子のうちの一つ以上と比較する段階と、
一つ以上の前記保存された端末識別子が前記制御情報内の前記端末識別子と一致したり、前記保存された１対多サービス識別子が前記制御情報内の前記１対多サービス識別子と一致すると、前記制御情報のフレームに該当するデータのフレームを下り回線共有データチャネルを通して受信する段階と、
からなることを特徴とする、１対多サービス提供方法。
【請求項１７】
前記下り回線共有制御チャネルは、下り回線高速共有制御チャネル（ｈｉｇｈ−ｓｐｅｅｄ  ｐｈｙｓｉｃａｌ  ｄｏｗｎｌｉｎｋ  ｓｈａｒｅｄ  ｃｈａｎｎｅｌ；ＨＳ−ＳＣＣＨ）であることを特徴とする、請求項１６に記載の１対多サービス提供方法。
【請求項１８】
前記下り回線共有データチャネルは、高速物理下り回線共有チャネル（ｈｉｇｈ−ｓｐｅｅｄ  ｐｈｙｓｉｃａｌ  ｄｏｗｎｌｉｎｋ  ｓｈａｒｅｄ  ｃｈａｎｎｅｌ；ＨＳ−ＰＤＳＣＨ）であることを特徴とする、請求項１６に記載の１対多サービス提供方法。
【請求項１９】
前記データのフレームは、移動通信端末専用データまたはマルチキャストデータのいずれかであることを特徴とする、請求項１６に記載の１対多サービス提供方法。
【請求項２０】
前記データのフレームをデコーディングする段階と、
誤りない前記データのフレームの受信または誤りある前記データのフレームの受信のいずれかの指示を含む受信状態情報を前記ネットワークに転送する段階と、
をさらに含むことを特徴とする、請求項１６に記載の１対多サービス提供方法。
【請求項２１】
前記受信状態情報は、下り回線チャネル品質情報をさらに含むことを特徴とする、請求項２０に記載の１対多サービス提供方法。
【請求項２２】
前記受信状態情報は、高速物理下り回線共有チャネルのサブフレームにマッピングされる高速専用物理制御チャネル（ｈｉｇｈ  ｓｐｅｅｄ−ｄｅｄｉｃａｔｅｄ  ｐｈｙｓｉｃａｌ  ｃｏｎｔｒｏｌ  ｃｈａｎｎｅｌ；ＨＳ−ＤＰＣＣＨ）のサブフレームを通して転送されることを特徴とする、請求項２０に記載の１対多サービス提供方法。
【請求項２３】
誤りある前記データのフレームの受信指示を含む受信状態情報を転送する段階と、
前記下り回線共有制御チャネルを通して、移動端末識別子及び提供されるサービスと関連した１対多サービス識別子のうちの一つ以上からなる制御情報の再転送されたフレームを受信する段階と、
前記保存された端末識別子及び前記保存された１対多サービス識別子を、前記制御情報内の前記移動端末識別子及び１対多サービス識別子のうちの一つ以上と比較する段階と、
一つ以上の前記保存された端末識別子が前記制御情報内の前記端末識別子と一致したり、前記保存された１対多サービス識別子が前記制御情報内の前記１対多サービス識別子と一致すると、前記下り回線共有データチャネルを通してデータの再転送されたフレームを受信する段階と、
をさらに含むことを特徴とする、請求項２０に記載の１対多サービス提供方法。
【請求項２４】
前記下り回線共有制御チャネルと前記下り回線共有データチャネルの受信可否を、連結手順中に前記ネットワークに知らせる段階をさらに含むことを特徴とする、請求項１６に記載の１対多サービス提供方法。
【請求項２５】
前記制御情報のフレームが前記下り回線共有制御チャネルを通して転送されることと、前記データのフレームが前記下り回線共有データチャネルを通して転送されることを表す指示を受信する段階をさらに含むことを特徴とする、請求項１６に記載の１対多サービス提供方法。
【請求項２６】
前記１対多サービスは、マルチメディア放送（ｍｕｌｔｉｍｅｄｉａ  ｂｒｏａｄｃａｓｔ）またはマルチキャストサービス（ｍｕｌｔｉｃａｓｔ  ｓｅｒｖｉｃｅ）であることを特徴とする、請求項１６に記載の１対多サービス提供方法。
【請求項２７】
無線通信システムで一つ以上の移動通信端末に１対多サービスを提供する方法において、
下り回線共有制御チャネルを通して前記一つ以上の移動通信端末に移動端末識別子及び提供されるサービスと関連した１対多サービス識別子のうちの一つ以上からなる制御情報のフレームを転送する段階と、
前記制御情報のフレームに該当するデータのフレームを下り回線共有データチャネルを通して前記一つ以上の移動通信端末に転送する段階と、
を含むことを特徴とする、１対多サービス提供方法。
【請求項２８】
前記下り回線共有制御チャネルは、下り回線高速共有制御チャネル（ｈｉｇｈ  ｓｐｅｅｄ−ｓｈａｒｅｄ  ｃｏｎｔｒｏｌ  ｃｈａｎｎｅｌ；ＨＳ−ＳＣＣＨ）であることを特徴とする、請求項２７に記載の１対多サービス提供方法。
【請求項２９】
前記下り回線共有データチャネルは、高速物理下り回線共有チャネル（ＨＳ−ＰＤＳＣＨ）であることを特徴とする、請求項２７に記載の１対多サービス提供方法。
【請求項３０】
前記データのフレームは、移動通信端末専用データまたはマルチキャストデータのいずれかであることを特徴とする、請求項２７に記載の１対多サービス提供方法。
【請求項３１】
前記一つ以上の移動通信端末から誤りない前記データのフレームの前記受信または誤りある前記データのフレームの前記受信のいずれかの指示を含む受信状態情報を受信する段階をさらに含むことを特徴とする、請求項２７に記載の１対多サービス提供方法。
【請求項３２】
下り回線チャネル品質情報を受信する段階をさらに含むことを特徴とする、請求項３１に記載の１対多サービス提供方法。
【請求項３３】
前記受信状態情報は、高速物理下り回線共有チャネル（ＨＳ−ＰＤＳＣＨ）のサブフレームにマッピングされる高速専用物理制御チャネル（ＨＳ−ＤＰＣＣＨ）のサブフレームを通して転送されることを特徴とする、請求項３１に記載の１対多サービス提供方法。
【請求項３４】
誤りある前記データのフレームの受信指示を含む受信状態情報を前記一つ以上の移動通信端末から受信する段階と、
前記下り回線共有制御チャネルを通して前記一つ以上の移動通信端末に移動端末識別子及び提供されるサービスと関連した１対多サービス識別子のうちの一つ以上を含む前記制御情報のフレームを再転送する段階と、
前記下り回線共有データチャネルを通して、前記一つ以上の移動通信端末に前記制御情報のフレームに該当する前記データのフレームを再転送する段階と、
をさらに含むことを特徴とする、請求項３１に記載の１対多サービス提供方法。
【請求項３５】
誤りある前記データのフレームの受信指示を含む受信状態情報を転送する複数の移動通信端末が臨界値を超過すると、前記制御情報は１対多サービス識別子を含み、誤りある前記データのフレームの受信指示を含む受信状態情報を転送する前記複数の移動通信端末が前記臨界値を超過しないと、前記制御情報は、誤りある前記データのフレームの受信指示を含む受信状態情報を転送した各端末の移動端末識別子を含むことを特徴とする、請求項３４に記載の１対多サービス提供方法。
【請求項３６】
前記一つ以上の移動通信端末から連結手順中に前記一つ以上の移動通信端末が前記下り回線共有制御チャネル及び前記下り回線共有データチャネルを受信できるか否かを表す指示を受信する段階をさらに含むことを特徴とする、請求項２７に記載の１対多サービス提供方法。
【請求項３７】
前記制御情報のフレームが前記下り回線共有制御チャネルを通して転送されることと、データのフレームが前記下り回線共有データチャネルを通して転送されることを前記一つ以上の移動通信端末に知らせる段階をさらに含むことを特徴とする、請求項２７に１対多サービス提供方法。
【請求項３８】
前記１対多サービスは、マルチメディア放送またはマルチキャストサービス（ＭＢＭＳ）であることを特徴とする、請求項２７に記載の１対多サービス提供方法。
【請求項３９】
移動通信システムで１対多サービスを受信する移動通信端末において、
制御情報のフレーム及びデータのフレームを含むメッセージを含むＲＦ信号を受信するアンテナと、
前記アンテナによって受信した前記ＲＦ信号を処理するＲＦモジュールと、
ユーザーから情報が入力されるキーパッドと、
端末識別子及び受信するサービスと関連した一つ以上の１対多サービス識別子を保存する保存ユニットと、
前記ユーザーに情報を伝達するディスプレイと、
下り回線共有制御チャネルを通して受信した移動端末識別子及び提供されるサービスと関連した１対多サービス識別子のうちの一つ以上を含む制御情報のフレームを処理し、
前記保存された端末識別子及び前記保存された１対多サービス識別子を、前記制御情報内の移動端末識別子及び１対多サービス識別子のうちの一つ以上と比較し、
一つ以上の前記保存された端末識別子が前記制御情報内の前記端末識別子と一致したり、前記保存された１対多サービス識別子が前記制御情報内の前記１対多サービス識別子と一致すると、下り回線共有データチャネルを通して受信した前記制御情報のフレームに該当する前記データのフレームを処理するプロセシングユニットと、
を備える、移動通信端末。
【請求項４０】
前記下り回線共有制御チャネルは、下り回線高速共有制御チャネル（ＨＳ−ＳＣＣＨ）であることを特徴とする、請求項３９に記載の移動通信端末。
【請求項４１】
前記下り回線共有データチャネルは、高速物理下り回線共有チャネル（ＨＳ−ＰＤＳＣＨ）であることを特徴とする、請求項３９に記載の移動通信端末。
【請求項４２】
前記データのフレームは、移動通信端末専用データまたはマルチキャストデータのいずれかであることを特徴とする、請求項３９に記載の移動通信端末。
【請求項４３】
前記プロセシングユニットは、前記データのフレームをデコーディングし、誤りない前記データのフレームの前記受信または誤りある前記データのフレームの前記受信のいずれかの指示を含む受信状態情報を前記ネットワークに転送する役割をさらに行うことを特徴とする、請求項３９に記載の移動通信端末。
【請求項４４】
前記プロセシングユニットは、下り回線チャネル品質情報を含む前記受信状態情報を生成する役割をさらに果たすことを特徴とする、請求項４３に記載の移動通信端末。
【請求項４５】
前記プロセシングユニットは、高速物理下り回線共有チャネル（ＨＳ−ＰＤＳＣＨ）のサブフレームにマッピングされる高速専用物理制御チャネル（ＨＳ−ＤＰＣＣＨ）のサブフレームを通して前記受信状態情報を転送する役割をさらに果たすことを特徴とする、請求項４３に記載の移動通信端末。
【請求項４６】
前記プロセシングユニットは誤りある前記データのフレームの受信指示を含む受信状態情報を転送し、前記下り回線共有制御チャネルを通して受信した移動端末識別子及び提供されるサービスに関連した１対多サービス識別子のうちの一つ以上を含む再転送された制御情報のフレームを処理し、
前記保存された端末識別子及び前記保存された１対多サービス識別子を、前記制御情報内の移動端末識別子及び１対多サービス識別子のうちの一つ以上と比較し、
一つ以上の前記保存された端末識別子が前記制御情報内の前記端末識別子と一致したり、前記保存された１対多サービス識別子が前記制御情報内の前記１対多サービス識別子と一致すると、前記下り回線共有データチャネルを通して受信した再転送されたデータのフレームを処理する役割をさらに果たすことを特徴とする、請求項４３に記載の移動通信端末。
【請求項４７】
前記プロセシングユニットは、連結手順中に前記下り回線共有制御チャネル及び前記下り回線共有データチャネルの受信可否を前記ネットワークに知らせる役割をさらに果たすことを特徴とする、請求項３９に記載の移動通信端末。
【請求項４８】
前記プロセシングユニットは、前記下り回線共有制御チャネルを通して前記制御情報のフレームが転送されることと、前記データのフレームは前記下り回線共有データチャネルを通して転送されることを表す指示を処理する役割をさらに果たすことを特徴とする、請求項３９に記載の移動通信端末。
【請求項４９】
前記１対多サービスは、マルチメディア放送またはマルチキャストサービス（ＭＢＭＳ）であることを特徴とする、請求項３９に記載の移動通信端末。
【請求項５０】
無線通信システムで一つ以上の移動通信端末に１対多サービスを提供するネットワークにおいて、
前記一つ以上の移動通信端末に制御情報のフレームとデータのフレームを含む信号を転送する転送器と、
前記一つ以上の移動通信端末から受信状態情報及び下り回線チャネル品質情報を含む信号を受信する受信器と、
移動端末識別子及び提供されるサービスと関連した１対多サービス識別子のうちの一つ以上を含む前記制御情報のフレームを下り回線共有制御チャネルを通して転送し、
前記制御情報のフレームに該当する前記データのフレームを下り回線共有データチャネルを通して転送するための制御器と、
を備えるネットワーク。
【請求項５１】
前記下り回線共有制御チャネルは、下り回線高速共有制御チャネル（ＨＳ−ＳＣＣＨ）であることを特徴とする、請求項５０に記載のネットワーク。
【請求項５２】
前記下り回線共有データチャネルは、高速物理下り回線共有チャネル（ＨＳ−ＰＤＳＣＨ）であることを特徴とする、請求項５０に記載のネットワーク。
【請求項５３】
前記制御器は、移動通信端末専用データまたはマルチキャストデータのいずれかを含む前記データのフレームを生成する役割をさらに果たすことを特徴とする、請求項５０に記載のネットワーク。
【請求項５４】
前記制御器は、誤りない前記データのフレームの前記受信または誤りある前記データのフレームの前記受信のいずかれの指示を含む前記受信状態情報を処理する役割をさらに果たすことを特徴とする、請求項５０に記載のネットワーク。
【請求項５５】
前記制御器は、前記下り回線チャネル品質情報を処理する役割をさらに果たすことを特徴とする、請求項５４に記載のネットワーク。
【請求項５６】
前記制御器は、高速物理下り回線共有チャネル（ＨＳ−ＰＤＳＣＨ）のサブフレームにマッピングされる高速専用物理制御チャネル（ＨＳ−ＤＰＣＣＨ）のサブフレームを通して受信した前記受信状態情報を処理する役割をさらに果たすことを特徴とする、請求項５４に記載のネットワーク。
【請求項５７】
前記制御器は、誤りある前記データのフレームの受信指示を含む受信状態情報を処理し、
前記下り回線共有制御チャネルを通して前記一つ以上の移動通信端末に移動端末識別子及び提供されるサービスと関連した１対多サービス識別子のうちの一つ以上を含む前記制御情報のフレームを再転送し、
前記下り回線共有データチャネルを通して前記一つ以上の移動通信端末に前記制御情報のフレームに該当するデータのフレームを再転送する役割をさらに果たすことを特徴とする、請求項５４に記載のネットワーク。
【請求項５８】
前記制御器は、誤りある前記データのフレームの受信指示を含む受信状態情報を転送する複数の移動通信端末が臨界値を超過すると、１対多サービス識別子を含む前記制御情報を生成し、誤りある前記データのフレームの受信指示を含む受信状態情報を転送する前記複数の移動通信端末が前記臨界値を超過しないと、誤りある前記データのフレームの受信指示を含む受信状態情報を転送する各端末の移動端末識別子を含む前記制御情報を生成する役割をさらに果たすことを特徴とする、請求項５７に記載のネットワーク。
【請求項５９】
前記制御器は、連結手順中に受信した前記一つ以上の移動通信端末から前記一つ以上の移動通信端末が前記下り回線共有制御チャネル及び前記下り回線共有データチャネルを受信できるか否かを表す指示を処理する役割をさらに果たすことを特徴とする、請求項５０に記載のネットワーク。
【請求項６０】
前記制御器は、前記一つ以上の移動通信端末に前記下り回線共有制御チャネルを通して前記制御情報のフレームが転送されることと、前記下り回線共有データチャネルを通してデータのフレームが転送されることを知らせる役割をさらに果たすことを特徴とする、請求項５０に記載のネットワーク。
【請求項６１】
前記１対多サービスは、マルチメディア放送またはマルチキャストサービス（ＭＢＭＳ）であることを特徴とする、請求項５０に記載のネットワーク。
【発明の詳細な説明】
【技術分野】
【０００１】
本発明は、マルチメディア放送／マルチキャストサービス（ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ）を送受信する方法及び装置に係り、より詳細には、自動再送要請（ＡＲＱ：Ａｕｔｏｍａｔｉｃ  Ｒｅｐｅａｔ  Ｒｅｑｕｅｓｔ）とハイブリッド自動再送要請（ＨＡＲＱ：Ｈｙｂｒｉｄ  Ａｕｔｏｍａｔｉｃ  Ｒｅｐｅａｔ  Ｒｅｑｕｅｓｔ）を使用するＭＢＭＳを送受信する装置及び方法に関する。本発明は広い範囲の適用に好適であり、特に、適応変調及びチャネルコーディングとＨＡＲＱを用いるマルチキャスト転送を無線移動ユーザー装置に提供し、該ユーザー装置が高速マルチキャストデータを受信できるようにすることに好適である。
【背景技術】
【０００２】
図１は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を示すブロック図である。ＵＭＴＳは、ユーザー装置（ｕｓｅｒ  ｅｑｕｉｐｍｅｎｔ；以下、‘ＵＥ’と略す。）、ＵＭＴＳ地上無線接続ネットワーク（ＵＭＴＳ  ｔｅｒｒｅｓｔｒｉａｌ  ｒａｄｉｏ  ａｃｃｅｓｓ  ｎｅｔｗｏｒｋ；以下、‘ＵＴＲＡＮ’と略す。）及び基幹網（ｃｏｒｅｎｅｔｗｏｒｋ；以下、‘ＣＮ’と略す。）を含む。
【０００３】
ＵＴＲＡＮは、一つ以上の無線ネットワークサブシステム（ｒａｄｉｏ  ｎｅｔｗｏｒｋ  ｓｕｂｓｙｓｔｅｍ；以下‘ＲＮＳ’と略す。）を含む。ＲＮＳは、一つ以上の無線ネットワーク制御器（ｒａｄｉｏ  ｎｅｔｗｏｒｋ  ｃｏｎｔｒｏｌｌｅｒ；以下、‘ＲＮＣ’と略す。）と該ＲＮＣによって管理される一つ以上の基地局（以下、‘Ｎｏｄｅ  Ｂ’と称する。）を含む。一つ以上のセルが一つのＮｏｄｅ  Ｂに存在する。
【０００４】
図２は、一つのＵＥとＵＴＲＡＮ間の無線インターフェース（ｉｎｔｅｒｆａｃｅ）プロトコル（ｐｒｏｔｏｃｏｌ）を示す構造図である。無線インターフェースプロトコルは、垂直的には物理階層、データリンク階層及びネットワーク階層を含み、水平的にはデータ情報転送のためのユーザー平面及びシグナリング（ｓｉｇｎａｌｉｎｇ）転送のための制御平面を含む。図２上のプロトコル階層（ｌａｙｅｒ）は、通信システムで広く知られた開放型システム間相互接続（ｏｐｅｎ  ｓｙｓｔｅｍ  ｉｎｔｅｒｃｏｎｎｅｃｔｉｏｎ；以下、‘ＯＳＩ’と略す。）標準モデルの三つの下位階層に基づくＬ１（１番目の階層）、Ｌ２（２番目の階層）及びＬ３（３番目の階層）に分けられることができる。
【０００５】
物理階層（以下、‘ＰＨＹ’という。）は、物理チャネルを使用する上位階層に情報転送サービスを提供する。物理階層は、伝達（ｔｒａｎｓｐｏｒｔ）チャネルを通して前記物理階層上の媒体接続制御（ｍｅｄｉｕｍ  ａｃｃｅｓｓ  ｃｏｎｔｒｏｌ；以下、‘ＭＡＣ’と略す。）に連結されている。データはこれらＭＡＣ階層とＰＨＹ階層間において伝達チャネルを通して転送される。データは、異なる物理階層間で転送され、特に、送信側の物理階層と受信側の他の物理階層間で物理チャネルを通して転送される。
【０００６】
２番目の階層であるＭＡＣ階層は、論理チャネルを通して該ＭＡＣ階層上の無線リンク制御階層にサービスを提供する。２番目の階層である前記無線リンク制御（Ｒａｄｉｏ  Ｌｉｎｋ  Ｃｏｎｔｒｏｌ；以下‘ＲＬＣ’）階層は、信頼できるようなデータ転送を支援し、上位階層から送られてきたＲＬＣサービスデータユニット（以下、‘ＳＤＵ’と略す。）の分割（ｓｅｇｍｅｎｔａｔｉｏｎ）と連接（ｃｏｎｃａｔｅｎａｔｉｏｎ）を行う。
【０００７】
３番目の階層の最下部に位置した無線支援制御（ｒａｄｉｏ  ｒｅｓｏｕｒｃｅ  ｃｏｎｔｒｏｌ；以下、‘ＲＲＣ’と略す。）階層は、制御平面内にのみ定義されており、論理チャネル、伝達チャネル及び物理チャネルを制御するラジオベアラ（ｒａｄｉｏ  ｂｅａｒｅｒ；以下、‘ＲＢ’と略す。）の構成、再構成及び解除に関る。ＲＢは、ＵＥとＵＴＲＡＮ間のデータ転送のために２番目の階層に提供されるサービスである。ＲＢの構成はそれぞれ、特定のサービスを提供するのに必要なプロトコル階層及びチャネルの特徴を調節する過程であり、かつ、特定のパラメーターと動作方法を設定する過程である。
【０００８】
マルチメディアブロードキャスト／マルチキャストサービス（Ｍｕｌｔｉｍｅｄｉａ  ｂｒｏａｄｃａｓｔ／ｍｕｌｔｉｃａｓｔ  ｓｅｒｖｉｃｅ；以下、‘ＭＢＭＳ’と略す。）は、下り回線専用ＭＢＭＳベアラサービスを用いて複数のＵＥにストリーミング（ｓｔｒｅａｍｉｎｇ）またはバックグラウンド（ｂａｃｋｇｒｏｕｎｄ）サービスを提供する。一つのＭＢＭＳは一つ以上のセッション（ｓｅｓｓｉｏｎ）を含み、ＭＢＭＳデータは、進行中のセッションでのみＭＢＭＳベアラサービスを通して複数のＵＥに転送される。
【０００９】
ＵＴＲＡＮは、ラジオベアラを介してＭＢＭＳベアラサービスをＵＥに提供する。ＵＴＲＡＮに用いられるＲＢのタイプは、１対１（ｐｏｉｎｔ−ｔｏ−ｐｏｉｎｔ）無線ベアラ及び１対多（ｐｏｉｎｔ−ｔｏ−ｍｕｌｔｉｐｏｉｎｔ）無線ベアラを含む。１対１無線ベアラは双方向無線ベアラであり、論理チャネルである専用トラフィックチャネル（ｄｅｄｉｃａｔｅｄ  ｔｒａｆｆｉｃ  ｃｈａｎｎｅｌ；以下、‘ＤＴＣＨ’という。）、伝達チャネルである専用チャネル（ｄｅｄｉｃａｔｅｄ  ｃｈａｎｎｅｌ；以下、‘ＤＣＨ’という。）及び物理チャネルである専用物理チャネル（ｄｅｄｉｃａｔｅｄ  ｐｈｙｓｉｃａｌ  ｃｈａｎｎｅｌ；以下、‘ＤＰＣＨ’）または物理チャネルである第２共通制御物理チャネル（ｓｅｃｏｎｄａｒｙ  ｃｏｍｍｏｎ  ｃｏｎｔｒｏｌ  ｐｈｙｓｉｃａｌ  ｃｈａｎｎｅｌ；以下、‘ＳＣＣＰＣＨ’という。）を含む。１対多無線ベアラは、単方向下り回線ラジオベアラである。
【００１０】
図３は、ＭＢＭＳのためのチャネルマッピングを示す。１対多無線ベアラは、論理チャネルであるＭＢＭＳトラフィックチャネル（ＭＢＭＳ  ｔｒａｆｆｉｃ  ｃｈａｎｎｅｌ；以下、‘ＭＴＣＨ’という。）、伝達チャネルである順方向接続チャネル（ｆｏｒｗａｒｄ  ａｃｃｅｓｓ  ｃｈａｎｎｅｌ；以下‘ＦＡＣＨ’という。）及び物理チャネルであるＳＣＣＰＣＨを含む。論理チャネルであるＭＴＣＨは、一つのセルに提供されるそれぞれのＭＢＭＳのために構成され、複数のＵＥに特定のＭＢＭＳのユーザー平面データを転送する役割を担う。
【００１１】
論理チャネルであるＭＢＭＳ制御チャネル（ＭＢＭＳ  ｃｏｎｔｒｏｌ  ｃｈａｎｎｅｌ；以下‘ＭＣＣＨ’という。）は、ＭＢＭＳと関連した制御情報を転送するのに用いられる１対多下り回線チャネルである。論理チャネルであるＭＣＣＨは、伝達チャネルであるＦＡＣＨにマッピングされ、この伝達チャネルであるＦＡＣＨは、物理チャネルであるＳＣＣＰＣＨにマッピングされる。一つのＭＣＣＨが一つのセル内に存在する。
【００１２】
ＭＢＭＳを提供するＵＴＲＡＮは、ＭＣＣＨを通して複数のＵＥにＭＣＣＨ情報を転送する。該ＭＣＣＨ情報は、ＭＢＭＳと関連したＲＲＣメッセージのようなＭＢＭＳ関連通知（ｎｏｔｉｆｉｃａｔｉｏｎ）メッセージを含む。ＭＣＣＨ情報は、ＭＢＭＳ情報を指示するメッセージ、１対多無線ベアラ情報を通知するメッセージまたは特定のＭＢＭＳのためにＲＲＣ連結が要請されることを指示する接続情報を含むことができる。
【００１３】
図４は、ＭＣＣＨ情報の転送システムを示す。このＭＣＣＨ情報は、変更周期及び反復周期によって周期的に送信される。
【００１４】
該ＭＣＣＨ情報は、重要（ｃｒｉｔｉｃａｌ）情報と非重要（ｎｏｎ−ｃｒｉｔｉｃａｌ）情報とに区分される。非重要情報は、各変更周期または各反復周期で自由に変更可能である。重要情報の変更は各変更周期でのみ可能である。特に、重要情報は、各反復周期ごとに一度反復され、変更された重要情報の転送は、変更周期の開始点でのみ可能である。
【００１５】
ＵＴＲＡＮは、変更周期中にＭＣＣＨ情報の更新されるか否かを指示するための物理チャネルであるＭＢＭＳ通知指示子チャネル（ＭＢＭＳ  ｎｏｔｉｆｉｃａｔｉｏｎ  ｉｎｄｉｃａｔｏｒ  ｃｈａｎｎｅｌ；以下‘ＭＩＣＨ’という。）を周期的に転送する。したがって、ただ一つの特定のＭＢＭＳを受信するよう試みるＵＥは、サービスセッションが始まるまではＭＣＣＨまたはＭＴＣＨを受信しないが、ＭＩＣＨを周期的に受信する。本発明の説明において、ＭＣＣＨ情報の更新は、ＭＣＣＨ情報の特定のアイテム（ｉｔｅｍ）の生成、付加、変更または除去を意味する。
【００１６】
図５は、関連技術に係るＭＢＭＳを行うための過程を示すフローチャートである。特定のＭＢＭＳのあるセッションが始まると（Ｓ５１）、ＵＴＲＡＮは、特定のＭＢＭＳを受信するよう試みるＵＥに通知指示子（ｎｏｔｉｆｉｃａｔｉｏｎ  ｉｎｄｉｃａｔｏｒ；以下‘ＮＩ’という。）を転送する（Ｓ５２）。このＮＩは、ＭＣＣＨチャネルを受信しなければならないということを指示する。ＭＩＣＨを通して前記ＮＩを受信したＵＥは、ＭＩＣＨにより指示された特定変更周期でＭＣＣＨを受信する。
【００１７】
１対多無線ベアラを用いて特定ＭＢＭＳを受信しようとするＵＥは、ＭＣＣＨを通して無線ベアラ情報を含むＭＣＣＨ情報を受信し、その後、受信された情報を用いて１対多無線ベアラを構成する（Ｓ５３）。１対多無線ベアラ構成の完了後に、ＭＴＣＨを通して転送された特定のＭＢＭＳのデータを獲得するためにＵＥは、ＭＴＣＨのマッピングされる物理チャネルＳＣＣＰＣＨを受信し続く（Ｓ５４）。セッションが終了すると、構成された１対多無線ベアラは解除される（Ｓ５６）。
【００１８】
図６は、ＭＴＣＨを通して不連続的にＭＢＭＳデータを転送する方法を示す図である。ＵＴＲＡＮは周期的に、スケジューリングメッセージをＭＴＣＨのマッピングされるＳＣＣＰＣＨ（ＭＴＣＨを伝達するＳＣＣＰＣＨ）を通してＵＥに転送する。このスケジューリングメッセージは、転送開始点とスケジューリング周期中に転送されたＭＢＭＳデータの転送セクションを指示する。ＵＴＲＡＮは、前記ＵＥにスケジューリング情報の転送周期（スケジューリング周期）をあらかじめ知らせなければならない。
【００１９】
前記ＵＥは、ＵＴＲＡＮからスケジューリング周期を獲得し、獲得されたスケジューリング周期によるスケジューリングメッセージを周期的に受信し、その後、ＭＴＣＨのマッピングされるＳＣＣＰＣＨ（ＭＴＣＨを伝達するＳＣＣＰＣＨ）を受信する。該ＳＣＣＰＣＨは、受信したスケジューリングメッセージを用いて不連続的且つ周期的に受信される。特に、前記ＵＥは、スケジューリングメッセージを用いて、データの転送されるタイミングセクション中に、ＭＴＣＨを伝達するＳＣＣＰＣＨを受信し、データの転送されないタイミングセクション中には、ＭＴＣＨを伝達するＳＣＣＰＣＨを受信しない。この方法は、ＵＥがバッテリー消耗を減らしながら效率的にデータを受信できるようにする点で有利である。
【００２０】
次に、下り回線で一つのＵＥに高速データを転送するＨＳ−ＤＳＣＨ転送について説明する。
【００２１】
ＨＳ−ＤＳＣＨは、２ｍｓ転送時間間隔（以下、‘ＴＴＩ’と略す。）（３スロット）を持ち、高速データレート（ｒａｔｅ）のための様々な変調コードセット（ｍｏｄｕｌａｔｉｏｎ  ｃｏｄｅ  ｓｅｔ；以下、‘ＭＣＳ’と略す）を支援する。チャネル状態に最も好適なＭＣＳを選択することによって、最適のスループット（ｔｈｒｏｕｇｈｐｕｔ）が提供される。ＨＡＲＱは、信頼できる転送が可能なように採択される。ＨＡＲＱは、ＡＲＱとチャネルコーディングとの結合を伴う。
【００２２】
図７は、関連技術に係るＨＳ−ＤＳＣＨプロトコルスタック（ｓｔａｃｋ）を示す。サービング無線ネットワーク制御器（ｓｅｒｖｉｎｇ  ｒａｄｉｏ  ｎｅｔｗｏｒｋ  ｃｏｎｔｒｏｌｌｅｒ；以下‘ＳＲＮＣ’と略す。）のＲＬＣ階層から伝達されたデータユニットは、論理チャネルである専用トラフィックチャネル（Ｄｅｃｉｃａｔｅｄ  Ｔｒａｆｆｉｃ  Ｃｈａｎｎｅｌ；以下‘ＤＴＣＨ’という。）または専用制御チャネル（Ｄｅｃｉｃａｔｅｄ  Ｃｏｎｔｒｏｌ  Ｃｈａｎｎｅｌ；以下、‘ＤＣＣＨ’）を通して専用チャネルを管理するＭＡＣ−ｄエンティティー（ｅｎｔｉｔｙ）に伝達される。データユニットは、その後、相応するデータをＮｏｄｅ  ＢのＭＡＣ−ｈｓに伝達するために制御無線ネットワーク制御器（ｃｏｎｔｒｏｌｌｉｎｇ  ｒａｄｉｏ  ｎｅｔｗｏｒｋ  ｃｏｎｔｒｏｌｌｅｒ；以下‘ＣＲＮＣ’と略す。）のＭＡＣ−ｃ／ｓｈ／ｍを通して伝達される。ＭＡＣ−ｄは、専用チャネルを管理するエンティティーである。前記ＭＡＣ−ｃ／ｓｈ／ｍは、共通チャネルを管理するエンティティーである。ＭＡＣ−ｈｓは、ＨＳ−ＤＳＣＨを管理するＭＡＣエンティティーである。
【００２３】
物理チャネルＨＳ−ＰＤＳＣＨは、伝達チャネルであるＨＳ−ＤＳＣＨを伝達するために用いられる。ＨＳ−ＰＤＳＣＨの拡散係数（Ｓｐｒｅａｄｉｎｇ  Ｆａｃｔｏｒ）は１６と固定され、このＨＳ−ＰＤＳＣＨは、ＨＳ−ＤＳＣＨデータ転送のために用意しておいたチャネル化コードセットから選択された一つのチャネル化コードに該当する。あるＵＥに対する多重コード転送を行う時に、複数個のチャネル化コードは、同じＨＳ−ＰＤＳＣＨサブフレームの間に割り当てられる。
【００２４】
図８は、関連技術に係るＨＳ−ＤＳＣＨサブフレーム及びスロットを示す。ＨＳ−ＰＤＳＣＨは、直交位相直交位相シフト・キーイング（Ｑｕａｄｒａｔｕｒｅ  Ｐｈａｓｅ  Ｓｈｉｆｔ  Ｋｅｙｉｎｇ；以下‘ＱＰＳＫ’と略す。）または１６直交振幅変調（Ｑｕａｄｒａｔｕｒｅ  Ａｍｐｌｉｔｕｄｅ  Ｍｏｄｕｌａｔｉｏｎ；以下、‘ＱＡＭ’と略す。）変調シンボルを伝達する。図８で、“Ｍ”は変調シンボル当たりのビット数を指定する。ＱＰＳＫにおいて、“Ｍ”は２であり（Ｍ＝２）、１６ＱＡＭにおいては“Ｍ”は４である（Ｍ＝４）。
【００２５】
図９は、関連技術に係るチャネル構成を示す。ＨＳ−ＤＳＣＨ制御情報の転送は、ＨＳ−ＤＳＣＨを通してユーザーデータを転送するのに必要である。前記情報は、下り回線高速共有制御チャネル（Ｈｉｇｈ−Ｓｐｅｅｄ  Ｓｈａｒｅｄ  Ｃｏｎｔｒｏｌ  Ｃｈａｎｎｅｌ；以下、‘ＨＳ−ＳＣＣＨ’と略す。）と下り回線高速専用物理制御チャネル（Ｈｉｇｈ−Ｓｐｅｅｄ  Ｄｅｄｉｃａｔｅｄ  Ｐｈｙｓｉｃａｌ  Ｃｏｎｔｒｏｌ  ＣＨａｎｎｅｌ；以下、‘ＨＳ−ＤＰＣＣＨ’と略す。）を通して転送される。ＤＰＣＨ（専用物理チャネル）は、伝達チャネルであるＤＣＨのマッピングされる双方向物理チャネルである。このＤＰＣＨは、ＵＥの専用データ及び閉ループ電力制御に必要な電力制御信号のようなＵＥ専用のＬ１制御情報を伝達するのに用いられる。
【００２６】
Ｆ−ＤＰＣＨ（Ｆｒａｃｔｉｏｎａｌ  Ｄｅｄｉｃａｔｅｄ  Ｐｈｙｓｉｃａｌ  Ｃｈａｎｎｅｌ）は、一つのチャネル化コードを用いて複数のＤＰＣＨを伝達するための下り回線チャネルである。一つのＦ−ＤＰＣＨは様々なＵＥに対するＵＥ専用データを伝達せず、閉ループ電力制御に必要な電力制御信号のような、ＵＥ専用のＬ１制御情報を伝達するのに用いられる。下り回線Ｆ−ＤＰＣＨが存在すると、下り回線Ｆ−ＤＰＣＨは上り回線ＤＰＣＨと連動して動作する。複数のＵＥは、一つのチャネルコードを通いて使用するためのＦ−ＤＰＣＨを共有する。各ＵＥは、上り回線ＤＰＣＨを備えている。
【００２７】
図１０は、関連技術によるＨＳ−ＰＤＳＣＨのサブフレームの構造図である。下り回線ＨＳ−ＳＣＣＨは、データレートが６０ｋｂｐｓである拡散係数１２８をもって伝達される下り回線物理チャネルである。下り回線ＨＳ−ＳＣＣＨを通して伝達される情報は、伝達フォーマット及び支援関連情報（Ｔｒａｎｓｐｏｒｔ  Ｆｏｒｍａｔ  ａｎｄ  Ｒｅｓｏｕｒｃｅ  ｒｅｌａｔｅｄ  Ｉｎｆｏｒｍａｔｉｏｎ；以下‘ＴＦＲＩ’という。）及びＨＡＲＱ関連情報に分類されることができる。対応する情報がどのユーザーに属するかを指示するＵＥ識別子（Ｈ−ＲＮＴＩ）情報は、伝達のためにマスキング（ｍａｓｋｉｎｇ）される。
【００２８】
図１１は、関連技術に係るＨＳ−ＳＣＣＨコーディング方法を示すフローチャートである。ＨＳ−ＳＣＣＨコーディングのためのＨＳ−ＳＣＣＨ情報は、表ＴＢＤ内に表され、ＨＡＲＱ及びＵＥ  ＩＤ情報は、表２に表される。
【００２９】
【表１】
2008530896.tif 000003
【００３０】
【表２】
2008530896.tif 000004
図１２は、関連技術による上り回線ＨＳ−ＤＰＣＣＨのフレームを示す構造図である。上り回線ＨＳ−ＤＰＣＣＨは、下り回線ＨＳ−ＤＳＣＨデータ転送と関連した上り回線フィードバックシグナリングを伝達する。
【００３１】
ＨＳ−ＤＰＣＣＨは、特定ＵＥの専用チャネルで、上り回線ＤＰＣＨ及び下り回線ＤＰＣＨと連動して動作する。フィードバックシグナリングは、ＨＡＲＱ及びチャネル品質指示子（ｃｈａｎｎｅｌ  ｑｕａｌｉｔｙ  ｉｎｄｉｃａｔｏｒ；以下‘ＣＱＩ’という。）のためのＡＣＫ（ａｃｋｎｏｗｌｅｄｇｅｍｅｎｔ；承認）またはＮＡＣＫ（ｎｅｇａｔｉｖｅ  ａｃｋｎｏｗｌｅｄｇｅ）情報を含む。ＨＳ−ＤＰＣＣＨのフレームは五つのサブフレームを含み、それぞれは２ｍｓの長さを持つ。各サブフレームは３個のスロットを含む。
【００３２】
ＨＡＲＱのためのＡＣＫ／ＮＡＣＫ情報は、ＨＳ−ＤＰＣＣＨサブフレームの最初スロット中に転送される。ＣＱＩは、ＨＳ−ＤＳＣＨサブフレームの２番目及び３番目のスロット中に伝達される。
【００３３】
ＨＳ−ＤＰＣＣＨは、常にＵＬ  ＰＤＣＣＨと一緒に伝達される。ＣＱＩは、下り回線無線チャネルの状態情報を伝達する。状態情報は、ＵＥによる下り回線共通パイロットチャネル（ｃｏｍｍｏｎ  ｐｉｌｏｔ  ｃｈａｎｎｅｌ；以下、‘ＣＰＩＣＨ’という。）の測定から得られる。前記ＡＣＫ／ＮＡＣＫは、ＨＡＲＱメカニズム（ｍｅｃｈａｎｉｓｍ）によって下り回線ＨＳ−ＤＳＣＨを通して伝達されるユーザーデータパケット転送に対するＡＣＫまたはＮＡＣＫ情報を指示する。
【発明の開示】
【発明が解決しようとする課題】
【００３４】
しかしながら、関連技術上の方法は、一つのＳＣＣＰＣＨの最大速力に相応する、２５６ＫｂｐｓのみのＭＢＭＳに対する最大データレートを提供する。したがって、上記関連技術上の方法は、２５６Ｋｂｐｓよりも大きいデータレートを持つＭＢＭＳを提供できない。また、ＭＢＭＳに対する上り回線チャネルは提供されず、関連技術上のシステムはＭＢＭＳ転送に対して応答する情報（ＡＣＫまたはＮＡＣＫ）を伝達することができない。
【００３５】
そこで、２５６Ｋｂｐｓよりも大きいデータレートを持つＭＢＭＳを提供し、ＭＢＭＳ転送に対して応答して提供されるＡＣＫ／ＮＡＣＫ情報を許諾するための装置及び方法が必要とされる。したがって、本発明は、このような必要及び他の必要について記載する。
【課題を解決するための手段】
【００３６】
本発明の特徴及び長所は下記の説明で展開され、部分的には上記の説明から明白になり、本発明の具現から習得されることができる。本発明の目的及び他の長所は、添付の図面の他に、記載された説明及び請求項で特に指摘された構造により実現され獲得されることができる。
【００３７】
本発明は、２５６Ｋｂｐｓよりも大きいデータレートを持つＭＢＭＳを提供し、前記ＭＢＭＳ転送に対する応答として提供されるＡＣＫ／ＮＡＣＫ情報を許容することに関する。本発明の目的は、高速マルチメディア放送／マルチキャストサービスを行う際に、適応変調及びコーディングとＨＡＲＱによるＭＢＭＳを転送・受信する装置及び方法を提供することにある。
【００３８】
本発明の付加的な長所、目的及び特徴は、下記の説明で部分的に展開され、部分的には下記の実施から本発明の技術分野における当業者に明確になり、または、本発明の実現から習得可能である。本発明の目的及び他の長所は、添付の図面の他、記載された説明及び請求項で特に指摘された構造によって実現され獲得されることができる。
【００３９】
ここに具体化され、幅広く説明された本発明の目的による上記の目的及び他の長所を達成するために、ジェネリック（ｇｅｎｅｒｉｃ）移動加入者局識別子と一つ以上のマルチメディア放送／マルチキャストサービス（ＭＢＭＳ）識別子を保存した移動加入者局によるＭＢＭＳを受信する際に、本発明によるマルチメディア放送／マルチキャストサービス（ＭＢＭＳ）を受信する方法は、制御チャネルを通して移動加入者スープ識別子及びマルチキャストサービス識別子のうちの一つ以上を受信し、保存された移動加入者局識別子及び保存されたマルチキャストサービス識別子を、受信した移動加入者局識別子またはマルチキャストサービス識別子と比較し、一つ以上の保存された識別子が一つ以上の受信した識別子と一致すると、制御チャネルの特定のフレームに該当するデータのフレームを受信する段階を含む。
【００４０】
好ましくは、前記制御チャネルは、下り回線高速共有制御チャネル（ｈｉｇｈ  ｓｐｅｅｄ−ｓｈａｒｅｄ  ｃｏｎｔｒｏｌ  ｃｈａｎｎｅｌ；ＨＳ−ＳＣＣＨ）である。
【００４１】
好ましくは、前記データチャネルは、高速物理下り回線共有チャネル（ｈｉｇｈ−ｓｐｅｅｄ  ｐｈｙｓｉｃａｌ  ｄｏｗｎｌｉｎｋ  ｓｈａｒｅｄ  ｃｈａｎｎｅｌ；ＨＳ−ＰＤＳＣＨ）である。
【００４２】
好ましくは、前記方法は、データの受信されたフレームをデコーディングし、上り回線制御チャネルを通して前記デコーディング段階の結果による応答信号（ＡＣＫ／ＮＡＣＫ）を含む制御情報を転送する段階をさらに含む。より好ましくは、データチャネルのフレームを通して受信されたデータは、移動加入者局専用データまたはマルチキャストデータである。より好ましくは、前記制御情報は、下り回線チャネル品質情報をさらに含む。
【００４３】
より好ましくは、前記制御情報は、高速下り回線物理チャネル（ＨＳ−ＤＰＣＣＨ）のサブフレームを通して転送される。
【００４４】
本発明の他の様相において、ジェネリック移動加入者識別子と一つ以上のマルチメディア放送／マルチキャストサービス（ＭＢＭＳ）識別子をそれぞれ保存した一つ以上の移動加入者局に、マルチメディア放送／マルチキャストサービス（ＭＢＭＳ）を転送することにおいて、前記マルチメディア放送／マルチキャストサービス（ＭＢＭＳ）を転送する方法は、制御チャネルを通してマルチメディア放送／マルチキャスト識別子を転送する段階と、前記マルチメディア放送／マルチキャスト識別子に対応するデータを転送する段階と、前記一つ以上の移動加入者局から前記データをデコーディングする際に成功または失敗を指示する情報を含む制御情報を受信する段階と、再転送が行われる前記一つ以上の移動加入者局のうちの一つを選択する段階と、を含む。
【００４５】
好ましくは、前記方法は、前記制御チャネルを通して前記選択された移動加入者局にマルチメディア放送／マルチキャスト識別子を転送する段階、及び、前記マルチメディア放送／マルチキャスト識別子に対応するデータを転送する段階をさらに含む。
【００４６】
より好ましくは、前記制御チャネルは、下り回線高速共有制御チャネル（ＨＳ−ＳＣＣＨ）である。より好ましくは、前記データは、高速物理下り回線共有チャネル（ＨＳ−ＰＤＳＣＨ）のサブフレームを通して転送される。
【００４７】
より好ましくは、前記制御情報は、下り回線チャネル品質情報をさらに含む。
【００４８】
本発明のさらに他の様相として、本発明の方法を具現するためのネットワーク及び移動通信端末装置が提供される。
【００４９】
上述の本発明に対する概略的説明と以下の詳細な説明はいずれも、例示的で説明的なものであり、請求されたような本発明に関する追加的説明が提供されることができる。
【００５０】
本発明の付加的な特徴及び長所は、下記の説明で展開され、部分的に上記の説明から明白になり、または、本発明の練習から習得されることができる。
【００５１】
上述の本発明についての概略説明と以下の詳細な説明はいずれも例示的且つ説明的なもので、請求されたような本発明に関する追加的説明が提供されることができる。
【００５２】
本発明の実施例は、添付の図面を参照する実施例についての下記の詳細な説明から本技術における当業者には明白になるが、これらの公開されたいずれの実施例によっても本発明が制限されるわけはない。
【産業上の利用可能性】
【００５３】
本発明は、移動通信システムに適用可能である。
【発明を実施するための最良の形態】
【００５４】
本発明は、ＭＢＭＳ情報を転送・受信する装置及び方法に関する。たとえ本発明は移動通信装置に対して示されるが、本発明は、一つ以上のユーザーにサービスを転送しようするときはいつでも用いられることができると期待される。
【００５５】
以下、本発明の好適な実施例を、添付の図面を参照しつつ詳細に説明する。図面中、同一または相応する構成要素には可能な限り同一の参照番号を付する。
【００５６】
図１３は、ＨＳ−ＳＣＣＨ及びＨＳ−ＰＤＳＣＨを通したデータ転送の一例を示す図である。高速物理下り回線共有チャネル（ｈｉｇｈ  ｓｐｅｅｄ−ｐｈｙｓｉｃａｌ  ｄｏｗｎｌｉｎｋ  ｓｈａｒｅｄ  ｃｈａｎｎｅｌ；ＨＳ−ＰＤＳＣＨ）は、各サブフレーム中に特定のＵＥに対するＵＥ専用データユニット（ｕｎｉｔ）を転送できる、または、特定のマルチキャストサービスに加入した一つ以上のＵＥにマルチキャストデータユニットを転送できる。ＵＥ専用データユニットは論理チャネルＤＴＣＨまたはＤＣＣＨデータユニットであり、マルチキャストデータユニットは論理チャネルＭＴＣＨ、ＭＣＣＨまたはＭＳＣＨデータユニットである。
【００５７】
ＵＥ専用データユニットがＨＳ−ＰＤＳＣＨサブフレーム中に転送されると、マッピングされたＨＳ−ＳＣＣＨサブフレームは、前記ＵＥに割り当てられたＵＥ識別子を転送する。マルチキャストデータユニットが前記ＨＳ−ＰＤＳＣＨサブフレーム中に転送されると、前記マッピングされたＨＳ−ＳＣＣＨサブフレームは、前記マルチキャストサービスに割り当てられたＭＢＭＳ識別子を転送する。
【００５８】
図１３を参照すると、ＭＢＭＳ識別子は、ＣＮまたはＵＴＲＡＮのＲＲＣによって割り当てられた特定のＭＢＭＳの識別子である。前記ＭＢＭＳ識別子は、ＭＢＭＳ転送識別子またはＭＢＭＳ−Ｉｄである。
【００５９】
ＭＢＭＳ識別子は、特定のＭＢＭＳを識別するためにＣＮによって割り当てられた識別子である。ＭＢＭＳ転送識別子は、ＭＢＭＳ識別子及びＭＢＭＳセッション識別子を含む。
【００６０】
ＭＢＭＳセッション識別子は、特定のＭＢＭＳの特定のセッションを確認する識別子である。ＭＢＭＳ−ｉｄは、ＵＴＲＡＮによって割り当てられたサービス識別子で、ＭＴＣＨのＭＡＣヘッダ内に含まれたＭＢＭＳ識別子である。
【００６１】
ＭＢＭＳ識別子は、ＵＥグループ識別子で取り替えられることができる。ＵＥグループ識別子は、同じデータの受信を試みようとする一つ以上のＵＥからなるＵＥグループを確認する識別子である。
【００６２】
図１４は、ＨＳ−ＳＣＣＨコーディング方法に対するＨＳ−ＳＣＣＨ情報を示す図である。ＴＦＲＩ情報は、表ＩＩＩにリスト（ｌｉｓｔ）されている。ＨＡＲＱ情報は、表ＩＶにリストされている。ＵＥ  ＩＤ情報は、表Ｖにリストされている。
【００６３】
【表３】
2008530896.tif 000005
【００６４】
【表４】
2008530896.tif 000006
【００６５】
【表５】
2008530896.tif 000007
図１４に示すＭＢＭＳ識別子またはＵＥ識別子は、循環剰余検査（Ｃｙｃｌｉｃ  Ｒｅｄｕｎｄａｎｃｙ  Ｃｈｅｃｋ；以下、‘ＣＲＣ’という。）添付でエンコーディングされ、マスキング（ｍａｓｋｉｎｇ）は、転送されるデータのタイプによる。ＨＳ−ＤＳＣＨを通してマルチキャストデータを受信しようとするＵＥは、ＵＥ識別子及びＭＢＭＳ識別子の両方とも備えなければならない。
【００６６】
図１５は、ＨＳ−ＳＣＣＨ及びＨＳ−ＰＤＳＣＨ転送によるＵＥ動作のフローチャートである。ＵＥは、自分のＵＥ識別子を保存する。ＵＥが受信しようとする一つ以上のサービスが存在すると、該ＵＥは、再びそのサービスに対応するＭＢＭＳ識別子を保存する（Ｓ１５１）。このＵＥは、ＨＳ−ＳＣＣＨを受信し（Ｓ１５２）、受信したＨＳ−ＳＣＣＨのサブフレームから識別子情報を獲得する（Ｓ１５３）。ＵＥは、前記獲得された識別子が保存されたＵＥまたはＭＢＭＳ識別子と一致るかをチェック（ｃｈｅｃｋ）する。
【００６７】
一致するものがないと、前記ＵＥは再び次のＨＳ−ＳＣＣＨを受信し（Ｓ５１２）、該受信したＨＳ−ＳＣＣＨのサブフレームから識別子情報を再獲得する（Ｓ５１３）。一致するものがあれば、前記ＵＥは、受信したＨＳ−ＳＣＣＨのサブフレームにマッピングされたＨＳ−ＰＤＳＣＨサブフレームを受信する（Ｓ５１４）。このＵＥは、誤り無し（ＡＣＫ）または誤り有り（ＮＡＣＫ）でＨＳ−ＰＤＳＣＨサブフレームの受信を指示するために応答信号を転送する（Ｓ１５５）。
【００６８】
図１６は、本発明の一実施例によるＨＳ−ＤＳＣＨ転送を示す図である。本発明によるＨＳ−ＰＤＳＣＨを通したマルチキャスト転送を、図１６に基づいて説明する。
【００６９】
ＨＳ−ＰＤＳＣＨは、各サブフレーム中に特定のＵＥに対するＵＥ専用データまたは特定のマルチキャストサービスに加入した一つ以上のＵＥに対するマルチキャストデータを転送する。ＵＥは、その後、ＨＳ−ＰＤＳＣＨサブフレームにマッピングされたＨＳ−ＤＰＣＣＨのサブフレームを通してデータ転送に対する応答で信号を転送する。サブフレームのそれぞれは、前記ＵＥ専用データまたは受信されたデータのタイプによるマルチキャストデータに対する応答信号を伝達する。この応答信号は、ＡＣＫまたはＮＡＣＫである。
【００７０】
受信したデータをデコーディングする時、前記データが誤り無しで受信されると、ＡＣＫ応答が転送される。誤りの発生時に、ＮＡＣＫ応答が転送される。ＨＳ−ＤＰＣＣＨのサブフレームは、ＡＣＫまたはＮＡＣＫ信号と一緒にＣＱＩ情報を転送できる。
【００７１】
図１７は、本発明の一実施例によるマルチキャスト再転送方法を示すフローチャートである。特定のＭＢＭＳを受信しようとする複数のＵＥ（ＵＥ＃１、ＵＥ＃２）のそれぞれは、ＭＢＭＳ識別子を獲得するためにＨＳ−ＳＣＣＨサブフレームを受信する（Ｓ１７１）。前記獲得された識別子が、ＵＥの加入したサービスに該当するＭＢＭＳなら、ＵＥはマルチキャストデータを獲得するために対応するＨＳ−ＰＤＳＣＨサブフレームを受信する（Ｓ１７２）。
【００７２】
１番目のＵＥ（ＵＥ＃１）がＨＳ−ＰＤＳＣＨサブフレームを受信した後、ＨＳ−ＤＰＣＣＨを通して受信したマルチキャストデータに対するＡＣＫまたはＮＡＣＫ情報を転送する（Ｓ１７３）。この１番目のＵＥ（ＵＥ＃１）は、ＣＱＩ情報を周期的に転送できる。図１７に示すように、ＮＡＣＫ情報は、受信したデータに誤りが発生するので転送される。
【００７３】
２番目のＵＥ（ＵＥ＃２）がＨＳ−ＰＤＳＣＨサブフレームを受信した後、ＨＳ−ＤＰＣＣＨを通して受信したマルチキャストデータに対するＡＣＫまたはＮＡＣＫ情報を転送する（Ｓ１７４）。この２番目のＵＥ（ＵＥ＃２）は、ＣＱＩ情報を周期的に転送できる。図１７に示すように、ＮＡＣＫ情報は、受信したデータに誤りが発生するので転送される。
【００７４】
臨界値を超過する数個のＵＥがＮＡＣＫを転送すると、Ｎｏｄｅ  Ｂは、ＭＢＭＳ識別子を用いて複数のＵＥにデータを再転送し、その後、ＨＳ−ＳＣＣＨを通してＭＢＭＳ識別子を再転送する（Ｓ１７５）。複数のＵＥのそれぞれは、ＨＳ−ＳＣＣＨサブフレームを受信し、ＭＢＭＳ識別子を獲得する。獲得したＭＢＭＳ識別子が、ＵＥの加入したサービスに該当すると、該ＵＥは、マルチキャストデータを獲得するために該当するＨＳ−ＰＤＳＣＨサブフレームを受信する（Ｓ１７６）。
【００７５】
１番目のＵＥ（ＵＥ＃１）はＨＳ−ＰＤＳＣＨサブフレームを受信した後に、ＨＳ−ＤＰＣＣＨを通して受信したマルチキャストデータに対するＡＣＫまたはＮＡＣＫ情報を転送する（Ｓ１７７）。１番目のＵＥ（ＵＥ＃１）は、ＣＱＩ情報を周期的に転送できる。図１７に示すように、ＮＡＣＫ情報は、受信したデータに誤りが発生するので転送される。
【００７６】
２番目のＵＥ（ＵＥ＃２）がＨＳ−ＰＤＳＣＨサブフレームを受信した後、ＨＳ−ＤＰＣＣＨを通して受信したマルチキャストデータに対するＡＣＫまたはＮＡＣＫ情報を転送する（Ｓ１７８）。この２番目のＵＥ（ＵＥ＃２）はＣＱＩ情報を周期的に転送できる。図１７に示すように、ＡＣＫ情報は、受信したデータに誤りが発生しないので転送される。
【００７７】
臨界値を超過しない数個のＵＥがＮＡＣＫを転送すると、Ｎｏｄｅ  Ｂは誤り無しでデータユニットを受信するのに失敗したＵＥにのみデータユニットを再転送する。Ｎｏｄｅ  Ｂはまた他のＨＳ−ＳＣＣＨサブフレーム上に、誤り無しでデータユニットを受信するのに失敗したＵＥのそれぞれの識別子を転送する。
【００７８】
転送された識別子に対応するＵＥは、ＨＳ−ＳＣＣＨサブフレームを受信し、ＵＥ識別子を獲得する（Ｓ１７９）。特定のＵＥにおいて、獲得された識別子がＵＥの識別子に該当すると、該ＵＥは対応するＨＳ−ＰＤＳＣＨサブフレームを受信し、マルチキャストデータを獲得し（Ｓ１８０）、獲得された識別子がＵＥの識別子に該当しないと、ＵＥは、対応するＨＳ−ＰＤＳＣＨサブフレームを受信しない。
【００７９】
１番目のＵＥ（ＵＥ＃１）は、ＨＳ−ＰＤＳＣＨサブフレームを受信した後に、ＨＳ−ＤＰＣＣＨを通して受信したマルチキャストデータに対するＡＣＫまたはＮＡＣＫ情報を転送する（Ｓ１８１）。１番目のＵＥ（ＵＥ＃１）は、周期的にＣＱＩ情報を転送できる。図１７に示すように、ＡＣＫ情報は、受信したデータに誤りが発生しないので転送される。
【００８０】
図１８は、本発明の一実施例によるマルチキャストデータ転送に対するチャネルを示す図である。Ｆ−ＤＰＣＨは、ＵＥ専用電力制御信号を転送するためにマルチキャストサービスに加入した複数のＵＥにより共有される。Ｆ−ＤＰＣＨは、電力制御を行うためにそれぞれのＵＥに設定された複数の上り回線ＤＰＣＨと連動する。図１８に示すように、ＨＳ−ＤＰＣＣＨの電力は上り回線ＤＰＣＨによって調節される。
【００８１】
図１９は、本発明の一実施例によるＨＳ−ＤＳＣＨプロトコルスタックを示す図である。ＭＴＣＨ、ＭＳＣＨまたはＭＣＣＨのようなＭＢＭＳと関連したチャネルは、ＭＢＭＳ制御情報またはＭＢＭＳデータがＨＳ−ＰＤＳＣＨを通してＵＥに転送されるようにＣＲＮＣ内のＨＳ−ＤＳＣＨにマッピングされる。
【００８２】
図２０は、本発明の一実施例によるＨＳ−ＤＳＣＨのＭＡＣプロトコルデータユニット（ｐｒｏｔｏｃｏｌ  ｄａｔａ  ｕｎｉｔ；ＰＤＵ）を示す図である。ＭＡＣ−ｈｓサービスデータユニット（ｓｅｒｖｉｃｅ  ｄａｔａ  ｕｎｉｔ；ＳＤＵ）は、ＭＡＣ−ｃ／ｓｈ／ｍ  ＰＤＵに該当する。
【００８３】
ＭＴＣＨにおいては、ＭＡＣ−ｃ／ｓｈ／ｍ  ＰＤＵは、ターゲットチャネルタイプフィールド（ｔａｒｇｅｔ  ｃｈａｎｎｅｌ  ｔｙｐｅ  ｆｉｅｌｄ；ＴＣＴＦ）、ＭＢＭＳ−ＩＤ及びＭＡＣ  ＳＤＵを含む、または、ＭＡＣ  ＳＤＵのみを含む。ＭＣＣＨまたはＭＳＣＨにおいては、ＭＡＣ−ｃ／ｓｈ／ｍ  ＰＤＵはＴＣＴＦ及びＭＡＣ  ＳＤＵを含む、または、ＭＡＣ  ＳＤＵのみを含む。
【００８４】
前記ＭＡＣ  ＳＤＵは、ＲＬＣ  ＰＤＵに該当する。ＶＦの１番目のビットは、ＤＴＣＨ／ＤＣＣＨ転送においては０と設定される、または、ＭＴＣＨ／ＭＣＣＨ／ＭＳＣＨ転送においては１と設定される。ＶＦは、１ビットまたは２ビットに設定されることができる。ＶＦの１番目のビットが１に設定されると、ＵＥＭＡＣはＭＴＣＨ、ＭＣＣＨまたはＭＳＣＨを通して上位ＲＬＣに伝達されるマルチキャストデータのようなＭＡＣ  ＰＤＵを認識する。
【００８５】
図２１は、本発明の一実施例によるＵＴＲＡＮのＭＡＣを示す図である。ＭＡＣ−ｃ／ｓｈ／ｍでＭＴＣＨのためには、ＭＢＭＳ−ＩＤまたはＴＣＴＦはＭＡＣ  ＳＤＵに添付されることができる。ＭＣＣＨまたはＭＳＣＨのためには、ＴＣＴＦがＭＡＣ  ＳＤＵに添付されることができる。
【００８６】
図２２は、本発明の一実施例によるＵＥのＭＡＣを示す図である。ＭＡＣ−ｃ／ｓｈ／ｍでＭＴＣＨのためには、ＭＢＭＳ−ＩＤまたはＴＣＴＦがＭＡＣ  ＰＤＵから分離されることができる。ＭＣＣＨまたはＭＳＣＨのためには、ＴＣＴＦがＭＡＣ  ＰＤＵから分離されるできる。
【００８７】
図２３は、本発明の一実施例によるＭＢＭＳチャネル決定過程を示す図である。ＵＥは、ＭＣＣＨを通してＭＢＭＳサービス情報メッセージを受信する。ＵＥは、ＭＢＭＳ情報メッセージを用いて、加入したサービスのＭＢＭＳ転送識別子と一緒に接続情報メッセージを前記ＵＥが受信できるように命令する情報を受信する（Ｓ２３１）。
【００８８】
前記ＵＥは、接続情報メッセージを受信し、該メッセージに含まれた確率因子（ｆａｃｔｏｒ）を用いてＲＲＣ連結手順を行い（Ｓ２３２）、その後、ＲＲＣ連結手順を行う（Ｓ２３３）。このＲＲＣ連結手順中に、前記ＵＥは、ＵＴＲＡＮにＨＳ−ＤＳＣＨを通してＭＢＭＳを受信できるか否かを知らせる。
【００８９】
ＭＣＣＨを通して、ＵＴＲＡＮは、ＨＳ−ＤＳＣＨを通してＭＢＭＳを提供する。ＵＴＲＡＮは、前記ＭＢＭＳがＨＳ−ＤＳＣＨを通して提供されることを知らせる（Ｓ２３４）。前記ＭＢＭＳが提供されることを指示するために、サービスのＭＢＭＳ転送識別子及びそのサービスに対するＨＳ−ＤＳＣＨ情報はＭＣＣＨを通して送られる。該識別子と情報は、ＭＢＭＳサービス情報メッセージを通して転送される。
【００９０】
図２４は、本発明の一実施例によるＭＢＭＳチャネル設定のための過程を示す図である。ＵＴＲＡＮは、ＭＣＣＨを通してＭＢＭＳがＨＳ−ＤＳＣＨを通して提供されることを知らせる（Ｓ２４１）。このＭＢＭＳが提供されることを知らせるために、前記サービスのＭＢＭＳ転送識別子及び前記サービスに対するＨＳ−ＤＳＣＨ情報がＭＣＣＨを通して送られる。前記識別子及び情報は、ＭＢＭＳサービス情報メッセージを通して転送される。
【００９１】
前記ＨＳ−ＤＳＣＨを通してサービスを受信できる複数のＵＥのうち、ＲＲＣ連結を完結していないＵＥはＲＲＣ連結を行う（Ｓ２４２）。このＲＲＣ連結手順中に、ＵＥはＵＴＲＡＮにＨＳ−ＤＳＣＨを通してＭＢＭＳを受信できる否かを知らせる。
【００９２】
前記ＵＴＲＡＮは、ＨＳ−ＤＳＣＨを通してＭＢＭＳを受信できるＵＥに対するＲＢセットアップ（ｓｅｔｕｐ）手順を行う（Ｓ２４３）。この過程から、ＨＳ−ＤＳＣＨはＵＥ内で設定され、ＵＴＲＡＮはＭＢＭＳデータを前記設定されたＨＳ−ＤＳＣＨを通して転送する（Ｓ２４４）。このデータ転送は、例えば、ＨＳ−ＳＣＣＨ、ＨＳ−ＤＰＣＣＨまたはＦ−ＤＰＣＨによって行われる。
【００９３】
図２５は、本発明の一実施例による無線通信装置のブロック図である。本発明による無線通信装置は、アンテナユニット２５１、無線周波数（Ｒａｄｉｏ  Ｆｒｅｑｕｅｎｃｙ；ＲＦ）ユニット２５２、信号処理（ｐｒｏｃｅｓｓｉｎｇ）ユニット２５３及びメモリユニット２５４を備える。信号処理ユニット２５３は、マイクロプロセッサ及びデジタルプロセッサのような処理ユニットを含む。本発明による無線通信装置は、スクリーン上に特定の情報を表示するディスプレイ（ｄｉｓｐｌａｙ）ユニット２５５、ユーザーから信号を受信するキーパッド（ｋｅｙｐａｄ）ユニット２５６及び声信号を出力するスピーカーユニット２５７をさらに備える。
【００９４】
ＵＥ識別子及びマルチキャストサービス識別子は、アンテナユニット２５１及びＲＦユニット２５２を通して受信される。信号処理ユニット２５３は、ＵＥ内にあらかじめ保存されたＵＥ及びマルチキャストサービス識別子と受信したＵＥ及びマルチキャストサービス識別子とをそれぞれ比較する。
【００９５】
前記受信したＵＥまたはマルチキャストサービス識別子が保存されたＵＥまたはマルチキャストサービス識別子と一致すると、制御チャネルの特定のフレームに対応するデータのフレームがアンテナ及びＲＦユニット２５１及び２５２を通して受信される。信号処理ユニット２５３は、受信したデータのフレームをデコーディングし、アンテナユニット２５１とＲＦユニット２５２を通してデコーディングされた結果とＣＱＩによるＡＣＫ／ＮＡＣＫ応答信号を含む制御情報を転送する。
【００９６】
上記の本発明実施例は、セルラー（ｃｅｌｌｕｌａｒ）移動通信ネットワークに基づいて説明される。しかし、本発明の技術的特徴はセルラー移動通信ネットワークに制限されず、ＰＤＡ（ｐｅｒｓｏｎａｌ  ｄｉｇｉｔａｌ  ａｓｓｉｓｔａｎｔ）、無線通信機能とその類似機能を備えたノートブックコンピュータのような無線通信システムに適用されることができる。なお、本発明を説明するために用いられた用語は、ＵＭＴＳのような無線通信システムの範囲に限定されない。本発明は、ＴＤＭＡ、ＣＤＭＡ、ＦＤＭＡ及びその他のもののような、異なる無線インターフェース及び物理階層を使用する無線通信システムに適用可能である。
【００９７】
また、本発明の技術的な特徴は、ソフトウェア、ファームウエア、ハードウェアまたはこれらのソフトウェア、ファームウエア及び／またはハードウェアの結合の一つで具現されることができる。すなわち、本発明の内容は、コード、回路チップ（ｃｈｉｐ）ＡＳＩＣのようなハードウェアロジックを使用するハードウェアによって具現される、または、コンピュータプログラミング言語を用いてハードディスク、フロッピー（登録商標）ディスク、テープ及びこれらに類似するもののようなコンピュータによって読み取り可能な保存媒体内または光保存体、またはＲＯＭまたはＲＡＭでコードで具現される。
【００９８】
したがって、本発明は、ＭＢＭＳ転送にＡＭＣ及びＨＡＲＱを適用可能にし、その結果、より効率的なデータ転送を可能にする。
【００９９】
本発明の本質や範囲を逸脱しない限度内で本発明の様々な修正と変動が可能であるということが本技術分野における熟練した者にとっては明白である。したがって、本発明は、添付の請求項及びその均等範囲内で符合するいずれの修正及び変動をも含むことは当然である。
【０１００】
上記の実施例及び長所は例示的なものに過ぎず、本発明を制限するものとして解析されてはいけない。本発明の教示（ｔｅａｃｈｉｎｇ）は、他の形態の装置にも容易に適用されることができる。本発明の詳細な説明は、本発明を例示するためのもので、特許請求の範囲を限定するためのものではない。多くの選択事項、変形及び変更は当業者には自明なものである。特許請求の範囲において、機能式請求項（ｍｅａｎｓ−ｐｌｕｓ−ｆｕｎｃｔｉｏｎ）は上記の機能を果たす構造を説明するために意図されたもので、構造的均等だけではなく均等な構造も含む。
【図面の簡単な説明】
【０１０１】
【図１】既存のＵＭＴＳのネットワーク構造を示すブロック図である。
【図２】既存のＵＥとＵＴＲＡＮ間の無線インターフェース（ｉｎｔｅｒｆａｃｅ）プロトコルの構造を示す図である。
【図３】既存のＭＢＭＳにおけるチャネルマッピングを示す図である。
【図４】既存のＭＢＭＳデータ転送のためのＭＣＣＨ情報の転送を示す図である。
【図５】既存のＭＢＭＳを実施する過程を示すフローチャートである。
【図６】ＭＴＣＨを通してＭＢＭＳデータを不連続的に転送する既存の方法を示す図である。
【図７】既存のＨＳ−ＤＳＣＨプロトコルスタックを示す図である。
【図８】既存のＨＳ−ＤＳＣＨサブフレームとスロットを示す図である。
【図９】既存のチャネル構成を示す図である。
【図１０】ＨＳ−ＳＣＣＨの既存のサブフレームの構造図である。
【図１１】既存のＨＳ−ＳＣＣＨコーディング方法を示すフローチャートである。
【図１２】既存の上り回線ＨＳ−ＤＰＣＣＨのフレームの構造図である。
【図１３】本発明の一実施例によるＨＳ−ＳＣＣＨとＨＳ−ＰＤＳＣＨを通したデータ転送の一例を示す図である。
【図１４】本発明の一実施例によるＨＳ−ＳＣＣＨコーディング方法の例示的なフローチャートである。
【図１５】本発明の一実施例によるＨＳ−ＳＣＣＨとＨＳ−ＰＤＳＣＨ転送によるＵＥ動作の例示的なフローチャートである。
【図１６】本発明の一実施例によるＨＳ−ＤＳＣＨ転送を示す図である。
【図１７】本発明の一実施例によるマルチキャスト再転送方法のフローチャートである。
【図１８】本発明の一実施例によるマルチキャストデータ転送のためのチャネルを示す図である。
【図１９】本発明の一実施例によるＨＳ−ＤＳＣＨプロトコルスタックを示す図である。
【図２０】本発明の一実施例によるＨＳ−ＤＳＣＨのＭＡＣＰＤＵを示す図である。
【図２１】本発明の一実施例によるＵＴＲＡＮのＭＡＣを示す図である。
【図２２】本発明の一実施例によるＵＥのＭＡＣを示す図である。
【図２３】本発明の一実施例によるＭＢＭＳチャネル決定過程のフローチャートである。
【図２４】本発明の一実施例によるＭＢＭＳチャネル設定過程のフローチャートである。
【図２５】本発明の一実施例による無線通信装置のブロック図である。
【図１】
2008530896.tif 000008
【図２】
2008530896.tif 000009
【図３】
2008530896.tif 000010
【図４】
2008530896.tif 000011
【図５】
2008530896.tif 000012
【図６】
2008530896.tif 000013
【図７】
2008530896.tif 000014
【図８】
2008530896.tif 000015
【図９】
2008530896.tif 000016
【図１０】
2008530896.tif 000017
【図１１】
2008530896.tif 000018
【図１２】
2008530896.tif 000019
【図１３】
2008530896.tif 000020
【図１４】
2008530896.tif 000021
【図１５】
2008530896.tif 000022
【図１６】
2008530896.tif 000023
【図１７】
2008530896.tif 000024
【図１８】
2008530896.tif 000025
【図１９】
2008530896.tif 000026
【図２０】
2008530896.tif 000027
【図２１】
2008530896.tif 000028
【図２２】
2008530896.tif 000029
【図２３】
2008530896.tif 000030
【図２４】
2008530896.tif 000031
【図２５】
2008530896.tif 000032
【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
移動通信システム内のユーザー装置（ＵＥ）においてデータを受信する方法であって、該方法は、
下り回線共有制御チャネル上で制御情報の第１フレームを受信するステップであって、制御情報の該第１フレームは、同一のデータを受信するよう試みる１つ以上のＵＥに共通である第１識別子を含む、ステップと、
下り回線共有データチャネル上でデータの第１フレームを受信するステップであって、データの該第１フレームは１対多データを含む、ステップと、
該下り回線共有制御チャネル上で制御情報の第２フレームを受信するステップであって、制御情報の該第２フレームは、該ユーザー装置（ＵＥ）専用の第２識別子を含む、ステップと、
該下り回線共有制御チャネルの第２フレームを受信するステップであって、データの該第２フレームはＵＥ専用データを含む、ステップと
を包含する、方法。
【請求項２】
前記下り回線共有制御チャネルは下り回線高速共有制御チャネル（ＨＳ−ＳＣＣＨ）である、請求項１に記載の方法。
【請求項３】
前記下り回線共有データチャネルは高速下り回線物理共有チャネル（ＨＳ−ＰＤＳＣＨ）である、請求項２に記載の方法。
【請求項４】
前記第１識別子は、１対多サービスに割り当てられたＭＢＭＳ識別子である、請求項１に記載の方法。
【請求項５】
前記１対多サービスは、マルチメディア放送マルチキャストサービス（ＭＢＭＳ）である、請求項４に記載の方法。
【請求項６】
前記第２識別子は、前記ＵＥを識別するＵＥ識別子である、請求項１に記載の方法。
【請求項７】
前記ＵＥ専用データは論理チャネルＤＴＣＨ（専用トラフィックチャネル）またはＤＣＣＨ（専用制御チャネル）データである、請求項１に記載の方法。
【請求項８】
移動通信システム内の少なくとも１つのユーザ装置（ＵＥ）にデータを伝達する方法であって、該方法は、
下り回線共有制御チャネル上で制御情報の第１フレームを該少なくとも１つのＵＥに伝達するステップであって、制御情報の該第１フレームは同一データを受信するよう試みる該少なくとも１つのＵＥに共通である第１識別子を含む、ステップと、
下り回線共有データチャネル上でデータの第１フレームを該少なくとも１つのＩＥに伝達するステップであって、該データの第１フレームは１対多データを含む、ステップと、
該下り回線共有データチャネル上で制御情報の第２フレームをユーザー装置に伝達するステップであって、制御情報の該第２フレームは該ＵＥ専用の第２識別子を含む、ステップと、
該下り回線共有データチャネル上でデータの第２フレームを該ＵＥに伝達するステップであって、該データの第２フレームはＵＥ専用データを含む、ステップと
を含む、方法。
【請求項９】
前記下り回線共有制御チャネルは、下り回線高速共有制御チャネル（ＨＳ−ＳＣＣＨ）である、請求項８に記載の方法。
【請求項１０】
前記下り回線共有制御チャネルは、高速下り回線物理共有チャネル（ＨＳ−ＳＣＣＨ）である、請求項９に記載の方法。
【請求項１１】
前記第１識別子は１対多サービスに対して割り当てられたＭＢＭＳ識別子である、請求項８に記載の方法。
【請求項１２】
前記１対多サービスは、マルチメディアブロードキャストまたはマルチキャストサービスである、請求項１１に記載の方法。
【請求項１３】
前記第２識別子は、前記ＵＥを識別するＵＥ識別子である、請求項８に記載の方法。
【請求項１４】
前記ＵＥ専用データは、論理チャネルＤＴＣＨ（専用トラフィックチャネル）またはＤＣＣＨ（専用制御チャネル）である、請求項８に記載の方法。
【請求項１５】
移動通信システム内のユーザー装置（ＵＥ）においてデータを受信する方法であって、該方法は、
下り回線共有制御チャネルをモニタリングして、同一データを受信するよう試みる１つ以上のＵＥに共通である第１識別子または該ユーザー装置（ＵＥ）専用の第２識別子を検出するステップと、
該第１識別子が該下り回線共有制御チャネル上で検出されたとき、下り回線共有データチャネル上で１対多データを受信するステップと、
該第２識別子が該下り回線共有制御チャネル上で検出されたとき、該下り回線共有データチャネル上でＵＥ専用データを受信するステップと
を包含する、方法。
【請求項１６】
前記下り回線共有制御チャネルは下り回線高速共有制御チャネル（ＨＳ−ＳＣＣＨ）である、請求項１５に記載の方法。
【請求項１７】
前記下り回線共有データチャネルは、高速下り回線物理共有チャネル（ＨＳ−ＰＤＳＣＨ）である、請求項１６に記載の方法。
【請求項１８】
前記第１識別子は、１対多サービスに割り当てられたＭＢＭＳ識別子である、請求項１５に記載の方法。
【請求項１９】
前記１対多サービスはマルチメディアブロードキャストまたはマルチキャストサービス（ＭＢＭＳ）である、請求項１８に記載の方法。
【請求項２０】
前記第２識別子は、前記ＵＥを識別するＵＥ識別子である、請求項１５に記載の方法。
【請求項２１】
前記ＵＥ専用データは論理チャネルＤＴＣＨ（専用トラフィックチャネル）またはＤＣＣＨ（専用制御チャネル）データである、請求項１５に記載の方法。
【手続補正２】
【補正対象書類名】明細書
【補正対象項目名】００２５
【補正方法】変更
【補正の内容】
【００２５】
図９は、関連技術に係るチャネル構成を示す。ＨＳ−ＤＳＣＨ制御情報の転送は、ＨＳ−ＤＳＣＨを通してユーザーデータを転送するのに必要である。前記情報は、下り回線高速共有制御チャネル（Ｈｉｇｈ−Ｓｐｅｅｄ  Ｓｈａｒｅｄ  Ｃｏｎｔｒｏｌ  Ｃｈａｎｎｅｌ；以下、‘ＨＳ−ＳＣＣＨ’と略す。）を通して転送される。上り回線ＨＳ−ＣＰＣＣＨは、下り回線ＨＳ−ＤＳＣＨデータ伝達に関連する上り回線フィードバック信号を転送する。ＤＰＣＨ（専用物理チャネル）は、伝達チャネルであるＤＣＨのマッピングされる双方向物理チャネルである。このＤＰＣＨは、ＵＥの専用データ及び閉ループ電力制御に必要な電力制御信号のようなＵＥ専用のＬ１制御情報を伝達するのに用いられる。
【手続補正３】
【補正対象書類名】明細書
【補正対象項目名】００３３
【補正方法】変更
【補正の内容】
【００３３】
ＨＳ−ＤＰＣＣＨは、常にＵＬ  ＤＰＣＣＨと一緒に伝達される。ＣＱＩは、下り回線無線チャネルの状態情報を伝達する。状態情報は、ＵＥによる下り回線共通パイロットチャネル（ｃｏｍｍｏｎ  ｐｉｌｏｔ  ｃｈａｎｎｅｌ；以下、‘ＣＰＩＣＨ’という。）の測定から得られる。前記ＡＣＫ／ＮＡＣＫは、ＨＡＲＱメカニズム（ｍｅｃｈａｎｉｓｍ）によって下り回線ＨＳ−ＤＳＣＨを通して伝達されるユーザーデータパケット転送に対するＡＣＫまたはＮＡＣＫ情報を指示する。
【手続補正４】
【補正対象書類名】図面
【補正対象項目名】全図
【補正方法】変更
【補正の内容】
【図１】
2008530896.tif 000033
【図２】
2008530896.tif 000034
【図３】
2008530896.tif 000035
【図４】
2008530896.tif 000036
【図５】
2008530896.tif 000037
【図６】
2008530896.tif 000038
【図７】
2008530896.tif 000039
【図８】
2008530896.tif 000040
【図９】
2008530896.tif 000041
【図１０】
2008530896.tif 000042
【図１１】
2008530896.tif 000043
【図１２】
2008530896.tif 000044
【図１３】
2008530896.tif 000045
【図１４】
2008530896.tif 000046
【図１５】
2008530896.tif 000047
【図１６】
2008530896.tif 000048
【図１７】
2008530896.tif 000049
【図１８】
2008530896.tif 000050
【図１９】
2008530896.tif 000051
【図２０】
2008530896.tif 000052
【図２１】
2008530896.tif 000053
【図２２】
2008530896.tif 000054
【図２３】
2008530896.tif 000055
【図２４】
2008530896.tif 000056
【図２５】
2008530896.tif 000057
【国際調査報告】
2008530896.tif 000058
2008530896.tif 000059
2008530896.tif 000060